(57)【要約】【課題】傾斜地に擁壁を構築して宅地造成を行い建築物を建てる際に擁壁の保持用のタイバーとアンカーウェイトが造成宅地の地中に埋蔵された構成となり、タイバーが地中に存在して造成宅地上に建築物を建てる際の杭打ち作業の障害になる点を解消する。【解決手段】擁壁裏面にタイバー平板ブロックを互いに連結固着した状態で敷設してタイバー平板ブロック群を構成し、該タイバー平板ブロック群を斜面の安定地盤上に設置したアンカーウェイトに連結して擁壁パネルとタイバー平板ブロック群、並びにアンカーウェイトの連結構造を構成する。【選択図】図３
2013064296.tif 000002
【特許請求の範囲】
【請求項１】
親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平板ブロック群にも付加する構成として前記擁壁パネル群からなる擁壁をタイバー平板ブロック群により強固に保持することを特徴とする傾斜地における宅地造成用の擁壁構造。
【請求項２】
親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該タイバー平板ブロック群を斜面の安定地盤上に設置したアンカーウェイトに連結して擁壁パネル群とタイバー平板ブロック群並びにアンカーウェイトの連結構造を構成し、前記敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平面ブロック群にも付加する構成として前記擁壁パネル群をタイバー平板ブロック群とアンカーウェイトにより強固に保持することを特徴とする傾斜地における宅地造成用の擁壁構造。
【請求項３】
前記擁壁パネル群のタイバー平板ブロック群を構成するタイバー平板ブロックの単体形状は略２ｍ角の板状形状を有しており、該タイバー平板ブロックの中心部または側面部に基礎杭用の貫通孔を設けた構成で、該タイバー平板ブロックの部材間のジョイントやタイバー平板ブロックと擁壁パネルまたは頭繋ぎ部材とのジョイント、或いはタイバー平板ブロックとアンカーウェイトのジョイントはアンカーボルトやケミカルアンカーを用いて行うことを特徴とする請求項１及び請求項２のいずれかに記載された傾斜地における宅地造成用の擁壁構造。
【請求項４】
前記タイバー平板ブロックはＰＣコンクリートや繊維強化プラスチックにて製作することを特徴とする請求項１乃至請求項３のいずれかに記載され傾斜地における宅地造成用の擁壁構造。
【発明の詳細な説明】
【技術分野】
【０００１】
本発明は、傾斜地における宅地造成用の擁壁構造に関するものであり、特に本発明は、傾斜地を有効に利用して安全な宅地を造成するために用いられる宅地造成用の擁壁構造に関するものである。
【背景技術】
【０００２】
傾斜地の崩落を防止するための従来の擁壁工法の原理は、石やブロック等の擁壁材料が重みで傾斜地にもたれ掛った状態で擁壁を構築する方法や、傾斜地の土を掘削して擁壁と底盤からなるＬ型の構築物を作り、そのＬ型構築物を埋め戻して擁壁と底盤部分を安定させる方法、並びにＨ型鋼等の凹部嵌合溝を有する親杭を８０〜１５０ｃｍ程度の間隔で打設して横矢板を前記親杭間の凹部嵌合溝に嵌着して擁壁を構築する方法等がある。
【０００３】
また、近年は土地を有効利用するために傾斜地の利用は益々盛んで、傾斜地において実施される宅地造成工法では、特に豪雨や地震による地盤の崩壊を確実に防止できる擁壁を設けて安全な宅地の造成ができる工法や、比較的簡単に施工できる擁壁の構築工法の開発が求められており、その擁壁の構築工法は、傾斜地を含む狭隘な地域でも施工が可能である事、また、工事が短期間で出来ることや、工事費が比較的安価であること等が、大きなニーズとなってきている。
【０００４】
斯くして、本発明の原点となる従来例は、特開２０００−２９７４０３号公報（以下、特許文献１と称する）に記載された第１の実施形態であり、該特許文献１の第１の実施形態には、上述した傾斜地を含む狭隘な地域でも施工が可能であり、また、工事が比較的短期間で、安価に施工が出来る擁壁の施工方法を提供することを目的とした発明が記載されている。
【０００５】
特許文献１の発明を概略説明すると、図１０（Ａ）は、特許文献１に開示された発明を示す断面図であり、図１０（Ｂ）は同じく平面図である。図１０（Ａ）、（Ｂ）において、５０は基礎、５１は支柱、５２は壁版、５３はアンカーウェイト、５４はタイバー、５５は床板である。
【０００６】
擁壁はどのような構造でもよいが、ここでは一例として、適当な間隔で杭状の基礎５０を形成し、Ｈ型鋼などの支柱５１を立てる。そして、支柱５１間にＰＣ版などにより壁版５２を設け、擁壁を構築している。一方、擁壁よりも山側の安定地盤にアンカーウェイト５３を設置し、アンカーウェイト５３と擁壁（支柱５１）間をタイバー５４で結ぶ。アンカーウェイト５３は、例えば鉄筋コンクリートや杭などで構成することができる。また、タイバー５４は、例えば擁壁（支柱５１）とアンカーウェイト５３間に１ないし複数本のワイヤーを張設し、あるいは骨材を両端で固定し、該ワイヤーあるいは骨材をコンクリート等によって固めて構成することができる。さらには、ＰＣ版を擁壁（支柱５１）とアンカーウェイト５３に固定することによって構成することもできる。
【０００７】
そして、特許文献１に記載された実施形態では、床板５５を壁版５２よりも谷側に張り出して設置した場合、床板５５の自重や床板５５上にかかる荷重によって、擁壁は谷側にモーメント力を受ける。さらに擁壁は、山側の土圧と谷側の土圧の大きさの違いから、谷側に向く方向の力を受けている。しかし、アンカーウェイト５３が安定地盤に設置され、アンカーウェイト５３と擁壁とがタイバー５４によって結ばれているので、アンカーウェイト５３の受ける土圧や、タイバー５４が周囲より受ける摩擦力や土圧などによって、上述のような擁壁にかかる力に対抗することができるものである。
【０００８】
斯くして、特許文献１に記載された発明では、工事が比較的短期間で、安価に施工が出来る擁壁の構築方法を提供することが可能となり、谷側に大きく張り出して設置される宅地造成や道路等の擁壁構築工法の発展に大いに寄与したが、各擁壁（支柱５１）の山側、即ち、各擁壁の裏面側には、夫々の擁壁（支柱５１）を保持するためのタイバー５４と安定地盤上に設置されるアンカーウェイト５３が連結、一体化されており、夫々の擁壁（支柱５１）の裏面から安定地盤まで延びているタイバー５４の部材と安定地盤上に設置されるアンカーウェイト５３は、造成された宅地の地中に埋蔵された構造物（工作物）として存在することになり、宅地上に建築物を構築する際の杭打ち作業の障害となる欠点を有しており、この点の改良が求められてきた。
【０００９】
また、造成宅地上に建築物を建てる場合には、前記特許文献１の発明を改良して、より強固な擁壁の保持機構を構築すると共に、夫々の擁壁（支柱５１）により造成される宅地地盤は、当然のことながら、強固に補強、保持された擁壁構造を提供して、擁壁内部に盛土を行い不変的な安定地盤を造成することが要求されるようになってきた。
【先行技術文献】
【特許文献】
【００１０】
【特許文献１】特開２０００−２９７４０３号公報
【発明の概要】
【発明が解決しようとする課題】
【００１１】
斯くして、本発明が解決しようとする課題は、傾斜地に擁壁を構築して宅地造成を行い、造成した宅地に建築物を建てる際に、擁壁を保持用のアーム形状のタイバーとアンカーウェイトが夫々造成宅地の地中に埋蔵された構成となり、該タイバーが構造物（工作物）として存在して造成宅地上に建築物を建てる際の杭打ち作業の障害になる点を解消するものである。
【００１２】
また、本発明において、擁壁を構成する夫々の擁壁パネル、並びに擁壁パネル群は、より強固な擁壁保持機構が必要とされ、該擁壁パネル、並びに擁壁パネル群を保持するためのタイバーとアンカーウェイトの構造はより強固な擁壁保持機構として改良され、狭隘な傾斜地を有する地域においても効率良く安全な宅地造成用の擁壁を施工可能とするものである。
【００１３】
そして、本発明の擁壁パネルや擁壁パネルの保持機構は、擁壁パネル群からなる擁壁裏面にタイバー平板ブロックを互いに連結固着して敷設してタイバー平板ブロック群を構成し、該敷設したタイバー平板ブロック群には夫々規則正しく位置決めされた基礎杭用の貫通孔を穿設しており、該敷設したタイバー平板ブロック群上に建築物を建てるにあたり前記基礎杭用の貫通孔を用いて建築物を構築し建築物の重量を基礎杭のみならずタイバー平面ブロック群にも付加する構成として前記擁壁パネル群からなる擁壁をタイバー平板ブロック群により強固に保持した宅地造成用の擁壁構造を提供するものである。
【課題を解決するための手段】
【００１４】
本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平板ブロック群にも付加する構成として前記擁壁パネル群からなる擁壁をタイバー平板ブロック群により強固に保持できる傾斜地における宅地造成用の擁壁構造を提供するものである。
【００１５】
また、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該タイバー平板ブロック群を斜面の安定地盤上に設置したアンカーウェイトに連結して擁壁パネル群とタイバー平板ブロック群並びにアンカーウェイトの連結構造を構成し、前記敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平板ブロック群にも付加する構成として前記擁壁パネル群をタイバー平板ブロック群とアンカーウェイトにより強固に保持できる傾斜地における宅地造成用の擁壁構造を提供するものである。
【００１６】
そして、本発明における前記擁壁パネル群のタイバー平板ブロック群を構成するタイバー平板ブロックの単体形状は、略２ｍ角の板状形状を有しており、該タイバー平板ブロックの中心部または側面部に基礎杭用の貫通孔を設けた構成で、該タイバー平板ブロック同士のジョイントやタイバー平板ブロックと擁壁パネルまたは頭繋ぎ部材とのジョイント、そしてタイバー平板ブロックとアンカーウェイトのジョイントはアンカーボルトやケミカルアンカーを用いておこなわれる。
【００１７】
更に、本発明におけるタイバー平板ブロックは、地中に埋設されたり、場合により大気中に露出されても良い構成でＰＣコンクリートや繊維強化プラスチックにて製作することが必要とされる。
【発明の効果】
【００１８】
斯くして、本発明は、傾斜地に擁壁を構築して宅地造成を行い、造成した宅地に建築物を建てる際に、擁壁を保持用のアーム形状のタイバーとアンカーウェイトが夫々造成宅地の地中に埋蔵された構成となり、該タイバーが構造物（工作物）として存在して造成宅地上に建築物を建てる際の杭打ち作業の障害になる点を解消することができた。
【００１９】
また、本発明において、擁壁を構成する夫々の擁壁パネル、並びに擁壁パネル群は、より強固な擁壁保持機構が必要とされ、該擁壁パネル、並びに擁壁パネル群を保持するためのタイバーとアンカーウェイトの構造はより強固な擁壁保持機構として改良され、狭隘な傾斜地を有する地域においても効率良く安全な宅地造成用の擁壁を施工可能である。
【００２０】
更に、本発明の擁壁パネルや擁壁パネルの保持機構は、擁壁パネル群からなる擁壁裏面にタイバー平板ブロックを互いに連結固着して敷設してタイバー平板ブロック群を構成し、該敷設したタイバー平板ブロック群には夫々規則正しく位置決めされた基礎杭用の貫通孔を穿設しており、該敷設したタイバー平板ブロック群上に建築物を建てるにあたり前記基礎杭用の貫通孔を用いて建築物を構築し建築物の重量を基礎杭のみならずタイバー平面ブロック群にも付加する構成として前記擁壁パネル群からなる擁壁をタイバー平板ブロック群により強固に保持し可能な宅地造成用の擁壁構造を提供することができた。
【図面の簡単な説明】
【００２１】
【図１】（Ａ）本発明に使用される擁壁パネルの形状を示す平面図である。           （Ｂ）本発明に使用される擁壁パネルの形状を示す正面図である。
【図２】本発明を傾斜地に実施した状態を示す平面説明図である。
【図３】図２の断面図である。
【図４】本発明を説明する要部斜視図である。
【図５】（Ａ）実施例１に使用されるタイバー平板ブロックの形状例を説明する平面図である。       （Ｂ）実施例２に使用されるタイバー平板ブロックの形状例を説明する平面図である。
【図６】（Ａ）従来の擁壁の施工例を説明する断面図である。       （Ｂ）従来の擁壁施工例を説明する平面図である。
【発明を実施するための形態】
【００２２】
本発明は、傾斜地に擁壁を構築して宅地造成を行い、造成した宅地に建築物を建てる際に、擁壁を保持用のアーム形状のタイバーとアンカーウェイトが夫々造成宅地の地中に埋蔵された構成となり、該タイバーが構造物（工作物）として存在して造成宅地上に建築物を建てる際の杭打ち作業の障害になる点を解消するものである。
【００２３】
また、本発明において、擁壁を構成する夫々の擁壁パネル、並びに擁壁パネル群は、より強固な擁壁保持機構が必要とされ、該擁壁パネル、並びに擁壁パネル群を保持するためのタイバーとアンカーウェイトの構造は強固な擁壁保持機構として改良され、狭隘な傾斜地を有する地域においても効率良く安全な宅地造成用の擁壁を施工可能とするものである。
【００２４】
そして、本発明の擁壁パネルや擁壁パネルの保持機構は、擁壁パネル群からなる擁壁裏面にタイバー平板ブロックを互いに連結固着して敷設してタイバー平板ブロック群を構成し、該敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平面ブロック群にも付加する構成として前記擁壁パネル群からなる擁壁をタイバー平板ブロック群により強固に保持した宅地造成用の擁壁構造を提供するものである。
【００２５】
斯くして、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平板ブロック群にも付加する構成として前記擁壁パネル群からなる擁壁をタイバー平板ブロック群により強固に保持できる構成であることが好ましい。
【００２６】
また、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー平板ブロックを互いに連結固着した状態で敷設してタイバー平板ブロック群を構成し、該タイバー平板ブロック群を斜面の安定地盤上に設置したアンカーウェイトに連結して擁壁パネル群とタイバー平板ブロック群並びにアンカーウェイトの連結構造を構成し、前記敷設したタイバー平板ブロック群には夫々規則正しく位置決めされた基礎杭用の貫通孔を設けており、該敷設したタイバー平板ブロック群上に建築物を建てるにあたり前記基礎杭用の貫通孔を用いて建築物を構築し建築物の重量を基礎杭のみならずタイバー平板ブロック群にも付加する構成として前記擁壁パネル群をタイバー平板ブロック群とアンカーウェイトにより強固に保持できる構成であることが好ましい。
【００２７】
そして、本発明における前記擁壁パネル群のタイバー平板ブロック群を構成するタイバー平板ブロックの単体形状は、略２ｍ角の板状形状を有しており、該タイバー平板ブロックの中心部または側面部に基礎杭用の貫通孔を設けた構成で、該タイバー平板ブロック同士のジョイントやタイバー平板ブロックと擁壁パネルまたは頭繋ぎ部材とのジョイント、そしてタイバー平板ブロックとアンカーウェイトのジョイントはアンカーボルトやケミカルアンカーを用いておこなわれる。
【００２８】
更に、本発明におけるタイバー平板ブロックは、地中に埋設されたり、場合により大気中に露出されても良い構成でその製作材料は、ＰＣコンクリートや繊維強化プラスチックにて製作することが好ましい。
【実施例１】
【００２９】
図１（Ａ）、（Ｂ）乃至図５（Ａ）は本発明の実施例１を説明するものであり、図１（Ａ）は本発明に使用される擁壁パネルの平面図、図１（Ｂ）は図１（Ａ）の正面図、図２は本発明を傾斜地に実施した状態を示す平面説明図、図３は実施例１を説明する擁壁の断面図、図４は実施例１を説明する斜視図で擁壁パネル、頭繋ぎ部材、タイバー平板ブロック、アンカーウェイト構成説明図である。
【００３０】
図１（Ａ）（Ｂ）において、１は擁壁パネル、２は擁壁パネル１の中央部に構成される支柱挿入穴、３はタイバー固着面、４は擁壁パネルを積層する際に他の擁壁パネルとの嵌合に使用されるガイドピンを示している。
【００３１】
実施例１において、擁壁を構成する夫々の擁壁パネル１は中央部に親杭の上部が構成するＨ型鋼等による支柱を挿入できる支柱挿入穴２を有し、該支柱挿入穴２の外周部にはブラケット状に突設された形状で一部にタイバー固着面３を形成可能であり、該擁壁パネル１の表面は前記支柱の支柱挿入穴２を中心に左右方向に等しく展開する平板形状を有しており、該擁壁パネル１は打設された親杭の上部に形成された支柱に挿入されて積層され擁壁を構成するものである。
【００３２】
図２は本発明を傾斜地に実施した状態を示す平面図であり、図２において、５は道路、６は本発明により造成された宅地、７は擁壁パネル群、１ａ、１ｂ、１ｃ・・・は擁壁パネル、２ａ、２ｂ、２ｃ・・・は支柱挿入穴、８ａ、８ｂ、８ｃ・・・は親杭の上部に形成された支柱、９は前記擁壁パネル１ａ、１ｂ、１ｃ・・・を載置して積層するための基台、１０ａ、１０ｂ、１０ｃ、１０ｄはタイバー平板ブロックで、該タイバー平板ブロック１０ａ、１０ｂ、１０ｃ、１０ｄは、前記擁壁パネル群７を構成する夫々の擁壁パネル１ａ、１ｂ、１ｃ・・・の裏面に設けられたタイバー固着面３にアンカーボルトやケミカルアンカー等にて連繋されて一体化したタイバー平板ブロック群１１ａ、１１ｂ、１１ｃ・・・を構成しており、該タイバー平板ブロック群１１ａ、１１ｂ、１１ｃ・・・は並列した時に各タイバー平板ブロックの側面に設けられた半円切欠き部１２同士が整合して夫々の部分に基礎杭用の貫通孔１３ａ、１３ｂ、１３ｃ、・・・を形成する。
【００３３】
また、１４は各タイバー平板ブロック群１１ａ、１１ｂ、１１ｃ・・・の端部で安定地盤１８（図３に示す）上に設置されたアンカーウェイトであり、該夫々のアンカーウェイト１４は、前記タイバー平板ブロック群１１を介して擁壁パネル１と連繋しており、夫々の擁壁パネル１を安定地盤１８にて保持固定している。
【００３４】
そして、１５は造成された宅地上に建てられる建築物を想像線にて示しており、該建築物１５はその想像線にて囲まれる範囲内の前記基礎杭用の貫通孔１３ｂ、１３ｃ、１３ｄを用いて建物用の基礎杭を打設して、建築物１４を建てるものである。
【００３５】
図３は、図２のＡ−Ａ断面図であり、図４は図３の斜視概略図を示している。図３及び図４において、１６は親杭、８は親杭の上部に形成された支柱、該支柱８には、夫々擁壁パネル１が３枚ずつ積層されていて、高さを有する擁壁パネル群７を構成している。そして、各擁壁パネル１は夫々の支柱８により保持されているが、その上部を頭繋ぎ部材１７にて連繋されていて、擁壁パネル群７として一体化されており、また、前記擁壁パネル群７は、図２にて示す如く、擁壁パネル１のタイバー固着面３で夫々タイバー平板ブロック群１１ａが連繋されており、該タイバー平部ブロック群１１ａは、造成宅地部分に敷設された構成で安定地盤１８に設置されたアンカーウェイト１４に連繋した構成を有しており、支柱８と頭繋ぎ部材１７、並びにタイバー平板ブロック群１１ａとアンカーウェイト１４の結合により擁壁パネル群７の強度を保持している。
【００３６】
尚、図３及び図４において、１２は半円形の切欠き部で、該切欠き部は各タイバー平板ブロック１０の側面に設けられており、夫々のタイバー平板ブロックが敷設されたときに半円形の切欠き部１２同士が整合して夫々の部分に基礎杭用の貫通孔１３を形成する。
【００３７】
而して、前記基礎杭用の貫通孔１３は、敷設したタイバー平板ブロック群１１ａ、１１ｂ、１１ｃ・・・上に規則正しく位置決めされた基礎杭用の貫通孔１３ａ、１３ｂ。１３ｃ・・・となり、該敷設したタイバー平板ブロック群１１ａ上に建築物を建てるにあたり前記基礎杭用の貫通孔１３ａ１３ｂ、１３ｃ・・・を用いて建築物１５を構築し建築物１５の重量を基礎杭１９のみならずタイバー平面ブロック群１１ａ、１１ｂ、１１ｃ・・・にも付加する構成として前記擁壁パネル群７をタイバー平板ブロック群１１ａ、１１ｂ、１１ｃ・・・と夫々のアンカーウェイト１４により強固に保持することができる。
【００３８】
図５（Ａ）は上述したタイバー平板ブロックの形状を示す平面図であり、図５（Ａ）おいて、１０はタイバー平板ブロック、１２は基礎杭用の貫通孔１３を形成する切欠き部、２０ａ、２０ｂ、２０ｃ・・・は通水孔、２１ａ、２１ｂ、２１ｃ・・・は各タイバー平面ブロックを連結して、タイバー平面ブロック群１１ａ、１１ｂ、１１ｃ・・・を構成するアンカーボルト装着孔である。
【００３９】
斯くして、実施例１においては、親杭１６上部が構成する支柱８を一定間隔を有して打設し、該夫々の支柱８により垂直方向に積層される複数枚の擁壁パネル１、該夫々の支柱８により垂直方向に積層される複数枚の擁壁パネル１の任意個所、または上部を頭繋部材１７にて連結して幅広の擁壁パネル群７からなる擁壁を構築し、該幅広の擁壁パネル群７からなる擁壁裏面（タイバー固着面３）にタイバー平板ブロック１０を互いに連結固着した状態で敷設してタイバー平板ブロック群１１を構成し、該敷設したタイバー平板ブロック群１１には夫々規則正しく位置決めされた基礎杭用の貫通孔１３を設けており、該敷設したタイバー平板ブロック群１１上に建築物を建てるにあたり前記基礎杭用の貫通孔１３を用いて建築物を構築し建築物の重量を基礎杭のみならずタイバー平板ブロック群１１にも付加する構成として前記擁壁パネル群７からなる擁壁パネル１をタイバー平板ブロック群１１により強固に保持する傾斜地における宅地造成用の擁壁構造を提供するものである。
【００４０】
また、実施例１の他の構成は、親杭上部が構成する支柱８を一定間隔を有して打設し、該夫々の支柱８により垂直方向に積層される複数枚の擁壁パネル１、該夫々の支柱８により垂直方向に積層される複数枚の擁壁パネル１の任意個所、または上部を頭繋部材１７にて連結して幅広の擁壁パネル群７からなる擁壁を構築し、該幅広の擁壁パネル群７からなる擁壁裏面（タイバー固着面３）にタイバー平板ブロック１０を互いに連結固着した状態で敷設してタイバー平板ブロック群１１を構成し、該タイバー平板ブロック群１１を斜面の安定地盤上１８に設置したアンカーウェイト１４に連結して擁壁パネル群７とタイバー平板ブロック群１１、並びにアンカーウェイト１４の連結構造を構成し、前記敷設したタイバー平板ブロック群１１には夫々規則正しく位置決めされた基礎杭用の貫通孔１３を設けており、該敷設したタイバー平板ブロック群１１上に建築物を建てるにあたり前記基礎杭用の貫通孔１３を用いて建築物を構築し建築物の重量を基礎杭のみならずタイバー平面ブロック群１１にも付加する構成として前記擁壁パネル群７をタイバー平板ブロック群１１とアンカーウェイト１４により強固に保持する傾斜地における宅地造成用の擁壁構造を提供するものである。
【００４１】
そして、実施例１においては、タイバー平板ブロック群１１を構成するタイバー平板ブロック１０の単体形状は略２ｍ角の板状形状を有しており、該タイバー平板ブロック１０は側面部に基礎杭用の貫通孔１３を形成する構成で、該タイバー平板ブロック１０同士のジョイントやタイバー平板ブロック１０と擁壁パネル１、または頭繋ぎ部材１７とのジョイント、そしてタイバー平板ブロック１０とアンカーウェイト１４のジョイントはアンカーボルトやケミカルアンカーを用いて行うものである。
【実施例２】
【００４２】
図５（Ｂ）は本発明の実施例２を示す平面図であり、図５（Ｂ）おいて、１０はタイバー平板ブロック、１３は基礎杭用の貫通孔１３、２０ａ、２０ｂ、２０ｃ・・・は通水孔、２１ａ、２１ｂ、２１ｃ・・・は各タイバー平面ブロックを連結して、タイバー平面ブロック群１１ａ、１１ｂ、１１ｃ・・・を構成するアンカーボルト装着孔である。
【００４３】
而して、前記タイバー平板ブロック１１はＰＣコンクリートや繊維強化プラスチックにて製作され、タイバー平板ブロック群１１を構成するタイバー平板ブロック１０の単体形状は略２ｍ角の板状形状を有しており、該タイバー平板ブロック１０の中心部に基礎杭用の貫通孔１３を形成する構成で、該タイバー平板ブロック１０の部材間のジョイントやタイバー平板ブロック１０と擁壁パネル１、または頭繋ぎ部材１７とのジョイント、そして、タイバー平板ブロック１０とアンカーウェイト１４のジョイントはアンカーボルトやケミカルアンカーを用いて行うものである。
【００４４】
斯くして、本発明は、傾斜地に擁壁を構築して宅地造成を行い、造成した宅地に建築物を建てる際に、擁壁を保持用のアーム形状のタイバーとアンカーウェイトが夫々造成宅地の地中に埋蔵された構成となり、該タイバーが構造物（工作物）として存在して造成宅地上に建築物を建てる際の杭打ち作業の障害になる点を解消することができた。
【００４５】
また、本発明において、擁壁を構成する夫々の擁壁パネル、並びに擁壁パネル群は、より強固な擁壁保持機構が必要とされ、該擁壁パネル、並びに擁壁パネル群を保持するためのタイバーとアンカーウェイトの構造はより強固な擁壁保持機構として改良され、狭隘な傾斜地を有する地域においても効率良く安全な宅地造成用の擁壁を施工可能である。
【００４６】
更に、本発明の擁壁パネルや擁壁パネルの保持機構は、擁壁パネル群からなる擁壁裏面にタイバー平板ブロックを互いに連結固着して敷設してタイバー平板ブロック群を構成し、該敷設したタイバー平板ブロック群には夫々規則正しく位置決めされた基礎杭用の貫通孔を穿設しており、該敷設したタイバー平板ブロック群上に建築物を建てるにあたり前記基礎杭用の貫通孔を用いて建築物を構築し建築物の重量を基礎杭のみならずタイバー平面ブロック群にも付加する構成として前記擁壁パネル群からなる擁壁をタイバー平板ブロック群により強固に保持し可能な宅地造成用の擁壁構造を提供することができた。
【符号の説明】
【００４７】
１、１ａ、１ｂ、１ｃ・・・  擁壁パネル
２，２ａ、２ｂ、２ｃ・・・  支柱挿入穴
３  タイバー固着面
４  ガイドピン
５  道路
６  宅地
７  擁壁パネル群
８、８ａ、８ｂ、８ｃ・・・  支柱
９  基台
１０、１０ａ、１０ｂ、１０ｃ・・・  タイバー平板ブロック
１１ａ、１１ｂ、１１ｃ・・・  タイバー平板ブロック群
１２  切欠き部
１３、１３ａ、１３ｂ、１３ｃ・・・  基礎杭用の貫通孔
１４  アンカーウェイト
１５  建築物
１６  親杭
１７  頭繋ぎ部材
１８  安定地盤
１９  基礎杭
２０ａ、２０ｂ、２０ｃ・・・通水孔
２１ａ、２１ｂ、２１ｃ・・・アンカーボルト装着孔
【図１】
2013064296.tif 000003
【図２】
2013064296.tif 000004
【図３】
2013064296.tif 000005
【図４】
2013064296.tif 000006
【図５】
2013064296.tif 000007
【図６】
2013064296.tif 000008